(57)【要約】  本発明は、中空円筒状のハウジング（１０）と、相手方コネクタ（１００）との機械的および電気的接触を行うための、ハウジング（１０）の内側に径方向に配置される、ケーシング壁（１４）を有する中空円筒の形態のコンタクトスリーブ（１２）とを備える電気プラグコネクタであって、弾性的に偏向可能で自由端（２０）を有する少なくとも１つのコンタクトスプリング舌片（１６）が、コンタクトスリーブ（１２）のケーシング壁（１４）に配置され、自由端（２０）がコンタクトスリーブ（１２）のケーシング壁（１４）を越えて径方向内方に突出して相手方コネクタ（１００）の電気的および機械的接触のためのコンタクト面（２２）を形成するように構成される、電気プラグコネクタに関する。これに関連して、少なくとも３つのリブ（２４）がコンタクトスリーブのケーシング壁（１４）の外周に形成されてケーシング壁（１４）を越えて径方向外方に突出する。
2019506723.tif 000002
【特許請求の範囲】
【請求項１】
中空円筒状のハウジング（１０）と、相手方コネクタ（１００）との機械的および電気的接触を行うための、前記ハウジング（１０）の内側に径方向に配置される、ケーシング壁（１４）を有する中空円筒の形態のコンタクトスリーブ（１２）とを備える電気プラグコネクタであって、弾性的に偏向可能で自由端（２０）を有する少なくとも１つのコンタクトスプリング舌片（１６）が、前記コンタクトスリーブ（１２）の前記ケーシング壁（１４）に配置され、前記自由端（２０）が前記コンタクトスリーブ（１２）の前記ケーシング壁（１４）を越えて径方向内方に突出して前記相手方コネクタ（１００）の電気的および機械的接触のためのコンタクト面（２２）を形成するように構成される、電気プラグコネクタにおいて、
少なくとも３つのリブ（２４）が前記コンタクトスリーブの前記ケーシング壁（１４）の外周に形成されて前記ケーシング壁（１４）を越えて径方向外方に突出する
ことを特徴とする、電気プラグコネクタ。
【請求項２】
各コンタクトスプリング舌片（１６）が前記コンタクトスリーブ（１２）の前記ケーシング壁（１４）のＵ字形の切欠（１８）によって形成されることを特徴とする、請求項１に記載の電気プラグコネクタ。
【請求項３】
前記リブ（２４）が前記コンタクトスリーブ（１２）の前記ケーシング壁（１４）に関して周方向に互いに等距離で離隔していることを特徴とする、請求項１または２に記載の電気プラグコネクタ。
【請求項４】
前記リブ（２４）の領域の前記コンタクトスリーブ（１２）の外径が前記ハウジング（１０）の内径よりも大きいことを特徴とする、請求項１乃至３の少なくともいずれか一項に記載の電気プラグコネクタ。
【請求項５】
前記コンタクトスリーブ（１２）が打ち抜き曲げ加工部品として製造されることを特徴とする、請求項１乃至４の少なくともいずれか一項に記載の電気プラグコネクタ。
【発明の詳細な説明】
【技術分野】
【０００１】
本発明は、請求項１のプリアンブルに係る、中空円筒状のハウジングと、相手方コネクタとの機械的および電気的接触を行うための、ハウジングの内側に径方向に配置される、ケーシング壁を有する中空円筒の形態のコンタクトスリーブとを備える電気プラグコネクタであって、弾性的に偏向可能で自由端を有する少なくとも１つのコンタクトスプリング舌片が、コンタクトスリーブのケーシング壁に配置され、自由端がコンタクトスリーブのケーシング壁を越えて径方向内方に突出して相手方コネクタの電気的および機械的接触のためのコンタクト面を形成するように構成される、電気プラグコネクタに関する。
【背景技術】
【０００２】
プラグコネクタ、特に同軸プラグコネクタは、同軸ケーブルの取外可能な接続に用いられる。同軸プラグコネクタは、同軸ケーブルのように同軸に設計され、その結果、同軸ケーブルの利点、すなわち低い電磁影響や電磁放射、および、良好な電気遮蔽、ならびに、同軸プラグコネクタと同軸ケーブルとの間の遷移点での反射を回避するための同軸ケーブルのインピーダンスに対応するインピーダンスを呈する。同軸ケーブル（「ｃｏａｘｉａｌ  ｃａｂｌｅ」：短縮して「ｃｏａｘ  ｃａｂｌｅ」とも称される）は、中空円筒状の外側導体によって一定距離で囲まれる内側導体（コアとも称される）を有する同心構造の２極ケーブルを意味すると理解される。外側導体は、電磁妨害放射に対して内側導体を遮蔽する。内側導体と外側導体との間の空間には、絶縁体または誘電体が配置される。
【０００３】
同軸プラグコネクタは、ＲＦ信号の無反射伝送を保証するために所定の特性インピーダンス（例えば５０Ω）を与えるように設計される。同軸プラグコネクタの特性インピーダンスは、とりわけ外側導体の内径と内側導体の直径との比によって決まる。そのため、同軸プラグコネクタへの同軸ケーブルの電気的接続は、同軸ケーブルの内径と外径とに適応した同軸プラグコネクタを必要とする。
【発明の概要】
【発明が解決しようとする課題】
【０００４】
本発明は、外力の作用によって生じる損傷に対する耐性の観点から電気プラグコネクタを改良するという課題に基づいている。
【課題を解決するための手段】
【０００５】
本発明によれば、この課題は、請求項１の特色となる特徴を持つ前述の種類の電気プラグコネクタによって解決される。本発明の有利な態様については、その他の請求項に記載される。
【０００６】
この目的のために、本発明によれば、前述の種類の電気プラグコネクタにおいて、少なくとも３つのリブがコンタクトスリーブのケーシング壁の外周に形成されてケーシング壁を越えて径方向外方に突出する。
【０００７】
これには、相手方プラグコネクタが電気プラグコネクタに差し込まれたときに、斜め張力が相手方プラグコネクタに印加される場合、コンタクトスリーブがリブによってハウジングの内側に対して支持されるため、コンタクトスリーブまたは弾性のコンタクトスプリング舌片の損傷が効果的に防止されるという利点がある。
【０００８】
各コンタクトスプリング舌片がコンタクトスリーブのケーシング壁のＵ字形の切欠によって形成されることで、製造が特に簡単なプラグコネクタが実現される。
【０００９】
リブがコンタクトスリーブのケーシング壁に関して周方向に互いに等距離で離隔していることで、ハウジングの内側へのコンタクトスリーブの等距離で安定した支持が実現される。
【００１０】
リブの領域のコンタクトスリーブの外径がハウジングの内径よりも大きいことで、リブの領域のコンタクトスリーブの弾性変形によって生じる復元力によるハウジングでのコンタクトスリーブの特に確実な保持が実現される。
【００１１】
コンタクトスリーブが打ち抜き曲げ加工部品として製造されることで、簡単な製造が実現される。
【００１２】
本発明について図面を参照してより詳しく説明する。
【図面の簡単な説明】
【００１３】
【図１】図１は、本発明に係る電気プラグコネクタの好適な実施形態を相手方プラグコネクタと相互に差し込まれたときの状態で断面図にて示す。
【図２】図２は、本発明に係る電気プラグコネクタのためのコンタクトスリーブの好適な実施形態を斜視図にて示す。
【発明を実施するための形態】
【００１４】
図１に示される本発明に係る電気プラグコネクタの好適な実施形態は、中空円筒の形態で内部にコンタクトスリーブ１２を収容するハウジング１０を有する。コンタクトスリーブ１２は、同様に中空円筒の形態であり、図２により詳しく示される。図１に見られるように、電気プラグコネクタは、相手方プラグコネクタ１００との軸方向の差込接続によって、電気プラグコネクタと相手方プラグコネクタとの間の電気的および機械的接触が作成されるように設計される。この相手方プラグコネクタ１００は、相互差込状態においてコンタクトスリーブ１２の内側に面する外面１１０を有する。
【００１５】
図２に見られるように、コンタクトスリーブ１２は、ケーシング壁１４と、ケーシング壁１４に形成されて弾性的に偏向可能である３つのコンタクトスプリング舌片１６とを有する。各コンタクトスプリング舌片１６は、ケーシング壁１４のＵ字形の切欠１８によって形成されるため、形態が安定するように一方側でケーシング壁１４と接続される。言い換えると、各コンタクトスプリング舌片１６は、ケーシング壁１４の一部であるものの、ケーシング壁１４に対して相対的に変形する。したがって、各コンタクトスプリング舌片１６は、電気コンタクト面２２を形成する自由端２０を有する。相手方プラグコネクタ１００が差し込まれると、この電気コンタクト面２２が相手方プラグコネクタ１００の外面１１０と電気的および機械的に接触する。コンタクトスリーブ１２は、全体が弾性導電材料で作られるのが好ましい。
【００１６】
コンタクトスプリング舌片１６は、無負荷状態においてそれらの自由端２０がコンタクトスリーブ１２のケーシング壁１４を越えて径方向内方に突出するように設計される。相手方プラグコネクタ１００が押し込まれると、コンタクトスプリング舌片１６がコンタクトスリーブ１２に関して径方向外方に相手方プラグコネクタ１００の外面１１０との機械的接触によって弾性的に偏向し、その結果、接触力として電気コンタクト面２２とともに相手方プラグコネクタ１００の外面１１０との電気的接触を確立する弾性復元力が生じる。
【００１７】
本発明によれば、例えば打ち抜き加工によって、コンタクトスリーブ１２のケーシング壁１４の外側にリブ２４が径方向に形成されている。これらのリブ２４は、コンタクトスリーブ１２のケーシング壁１４を越えて径方向外方に突出しており、結果として、ハウジング１０の内壁２６に対して位置するようになる（図１）。図示の実施形態においては、コンタクトスリーブ１２の所定の軸方向部分にわたって、コンタクトスリーブ１２に関して軸方向に延びる３つのリブ２４が設けられている。これらのリブ２４は、コンタクトスリーブ１２に関して周方向に互いに等距離で離隔している。すなわち、コンタクトスリーブ１２に関して周方向に互いに隣り合う２つのリブ２４は、１２０°の角度だけ周方向に互いにオフセットしている。この３つのリブ２４の等距離分布によって、ハウジング１０の内側でのコンタクトスリーブ１２の位置が規定され、コンタクトスリーブ１２がすべての方向に等しくハウジングに支持され得る。
【００１８】
図１に示されるように、コンタクトスリーブ１２の長手方向軸３０に対して実質的に垂直な方向の斜め張力２８が相手方プラグコネクタ１００に作用する場合、コンタクトスリーブは、リブ２４によってハウジング１０に支持されるため、損傷を受けることはない。斜め張力２８の印加による相手方プラグコネクタ１００の偏向が防止されるため、これによってコンタクトスプリング舌片１６の過伸張または損傷が防止される。ここで、３つのリブ２４の等距離配置によって、斜め張力２８が作用する径方向に関係なく支持の機能が保証されることが確実になる。言い換えると、ハウジング１０とコンタクトスリーブ１２と相手方プラグコネクタ１００との同軸配置が斜め張力２８の作用下においても実質的に維持される。
【００１９】
そのため、本発明に係る電気プラグコネクタの電気的および機械的特性は、相手方プラグコネクタ１００と相互に差し込まれたときに外力がプラグコネクタに作用する場合にも維持される。
【図１】
2019506723.tif 000003
【図２】
2019506723.tif 000004
【国際調査報告】
2019506723.tif 000005
2019506723.tif 000006
2019506723.tif 000007
2019506723.tif 000008
2019506723.tif 000009
2019506723.tif 000010